(57)【要約】【課題】本発明は、指に取り付けて使用する指歯ブラシ、特に、手が入れ易く、歯の感触が指に伝わり易く、指を自在に動かすことが可能であって、食後の口の手入れ、子供の歯の手入れ、および歯科治療などに好適に使用される指歯ブラシ、該指歯ブラシを含んだ携帯用または使い捨て用の指歯ブラシセットを提供する。【解決手段】本発明の指歯ブラシを、指に歯ブラシ部を固定する固定手段と、該固定手段によって固定された前記歯ブラシ部とで構成し、指の動きによって、自在に歯ブラシを操作可能な指歯ブラシとする。本発明の指歯ブラシは、前記固定手段が、少なくとも一つまたは複数の指を挿入する部分を有する指入れ部を有する構成として、さらに前記歯ブラシ部を前記指入れ部に固定する固定部を加えて構成することができる。【選択図】        図１
2005253872.tif 000002
【特許請求の範囲】
【請求項１】
指の動きによって、自在に歯ブラシを操作可能な指歯ブラシであって、指に歯ブラシ部を固定する固定手段と、該固定手段によって固定された前記歯ブラシ部とを有する指歯ブラシ。
【請求項２】
前記固定手段が指輪状の形状を有することを特徴とする請求項１に記載の指歯ブラシ。
【請求項３】
前記固定手段が、歯ブラシ部を指に固定する留め具を有することを特徴とする請求項１に記載の指歯ブラシ。
【請求項４】
前記固定手段が、少なくとも一つまたは複数の指を挿入する部分を有する指入れ部を有することを特徴とする請求項１に記載の指歯ブラシ。
【請求項５】
前記固定手段が、さらに前記歯ブラシ部を前記指入れ部に固定する固定部を有することを特徴とする請求項４に記載の指歯ブラシ。
【請求項６】
前記指入れ部が、両端が開口した円筒状の形状を有することを特徴とする請求項４または５に記載の指歯ブラシ。
【請求項７】
前記指入れ部が、一端が開口した円筒状の形状を有することを特徴とする請求項４または５に記載の指歯ブラシ。
【請求項８】
前記指入れ部が、伸縮可能な防水柔軟材で形成されていることを特徴とする請求項４から７のいずれか１項に記載の指歯ブラシ。
【請求項９】
前記防水柔軟材が、ビニール、コーティング布、シリコンゴムから選ばれる少なくともいずれか一つの材料であることを特徴とする請求項８に記載の指歯ブラシ。
【請求項１０】
前記固定部が、歯ブラシ部に取り付けられた脱着式の帯状体から構成されていることを特徴とする請求項５から９のいずれか１項に記載の指歯ブラシ。
【請求項１１】
前記帯状体が、面ファスナーであることを特徴とする請求項１０に記載の指歯ブラシ。
【請求項１２】
少なくとも請求項１から１１のいずれか１項に記載の指歯ブラシと紙コップを収納してなる指歯ブラシセット。
【発明の詳細な説明】
【技術分野】
【０００１】
本発明は、指に取り付けて使用する指歯ブラシに関し、詳しくは、食後の口の掃除、子供の歯の掃除、および歯科治療などに使用される指歯ブラシに関する。
【背景技術】
【０００２】
歯ブラシは、虫歯予防、食後の歯の手入れ、口臭予防などの様々な目的で用いられ、この歯ブラシを使用した歯磨きは、多くの国において一つの生活習慣となっている。
従来、このような歯ブラシとしては、手で握るハンドル部と該ハンドル部の先端に位置する植毛部とから構成された歯ブラシ（以下、「従来型歯ブラシ」という。）が使用されている。
一方、幾つかの国においては、人々がとくに食後に、従来型歯ブラシを使用せず、自分の人差し指や中指などの指を用いて歯の手入れをする習慣がしばしば見受けられる。
また、子供の歯磨き時に親が、従来型歯ブラシや自分の指を用いて子供の歯の手入れをしたり、飼い主がペットなどの動物の歯の手入れを従来型歯ブラシや自分の指を用いてすることも時に見受けられる。
以上のような、食後の歯磨き、子供や動物の歯の手入れなどにおいては、従来型歯ブラシが不向きな場合も多々あるため、歯ブラシを使用せずに指で歯磨きをしたり、歯の手入れをすることが習慣的に行われているものと考えられる。
近年、このような状況を反映して、子供の歯磨きなどを目的として、シリコンで形成された指入れ部と該指入れ部に植毛された歯ブラシ部から構成される指歯ブラシが知られている（下記非特許文献１）。
【０００３】
【非特許文献１】アセンテック（Ａｃｅｎｔｅｃｈ）社ホームページ：http://www.scencorp.com/English/products
【発明の開示】
【発明が解決しようとする課題】
【０００４】
しかしながら、上記非特許文献１に示された指歯ブラシは、指入れ部が一定の厚みをもつシリコンで形成されているため、指を曲げたり伸ばしたりして自在に動かし、意図する歯磨きや歯の手入れをすることが困難である。特に、前記歯ブラシでは、他人または動物の歯磨きや歯の手入れの際には、他人または動物の歯や口内の感触が、歯を磨く者の指に伝わらず、意図する歯磨きや歯の手入れには不向きであるという問題があった。
【０００５】
本発明は、上記に事情に鑑みてなされたものであって、指に取り付けて使用する指歯ブラシに関し、詳しくは、指が入れ易く、歯の感触が指に伝わり易く、指を自在に動かすことが可能であって、食後の口の手入れ、子供の歯の手入れ、および歯科治療などに好適に使用される指歯ブラシ、該指歯ブラシを含んだ携帯用または使い捨て用の指歯ブラシセットに関する。
【課題を解決するための手段】
【０００６】
本発明者は、上記課題を解決するために、指を入れて使用する指歯ブラシの固定手段および歯ブラシ部の構造や材質について鋭意研究を進めたところ、特定の固定手段を有する指歯ブラシが上記課題の解決に好適であることを見いだし、この知見に基づいて本発明を完成させるに至った。
【０００７】
すなわち、本発明の指歯ブラシは、指の動きによって、自在に歯ブラシを操作可能な指歯ブラシであって、指に歯ブラシ部を固定する固定手段と、該固定手段によって固定された前記歯ブラシ部とを有することを特徴とする。この固定手段は、指輪状の形状を有したり、また、歯ブラシ部を指に固定する留め具を有したりすることが好ましい。
【０００８】
また、本発明の指歯ブラシの前記固定手段は、少なくとも一つまたは複数の指を挿入する部分を有する指入れ部を有することが好ましく、さらに前記歯ブラシ部を前記指入れ部に固定する固定部を有することもできる。
前記指入れ部は、両端が開口した円筒状の形状を有したり、また、一端が開口した円筒状の形状を有することができる。
本発明の指歯ブラシの前記指入れ部は、ビニール、コーティング布、シリコンゴムなどの伸縮可能な防水柔軟材で形成されていることが好ましい。また、前記固定部を、歯ブラシ部に取りつられた脱着式の帯状体とすることもできる。帯状体としては、面ファスナーであることが好ましい。
【０００９】
本発明の指歯ブラシセットは、携帯用、使い捨て用などとして用いる、少なくとも前記指歯ブラシと紙コップを収納してなることを特徴とする。
【発明の効果】
【００１０】
本発明にかかる指歯ブラシは、食後の口の掃除、子供の歯の掃除、および歯科治療などに使用される指歯ブラシとして好適であり、該指歯ブラシを含む携帯用、使い捨て用などとして用いる指歯ブラシセットとしても提供することができる。
【発明を実施するための最良の形態】
【００１１】
以下に、本発明の実施形態について説明する。
本発明の指歯ブラシは、指の動きによって、自在に歯ブラシを操作可能な指歯ブラシであって、指に歯ブラシ部を固定する固定手段と、該固定手段によって固定された前記歯ブラシ部とを有することを特徴とする。この固定手段によって、指に歯ブラシを固定することにより、自在に歯ブラシを操作可能であり、食後の口の掃除、子供の歯の掃除、および歯科治療などに好適に使用することができる。
このような指歯ブラシとしては、例えば、固定手段と歯ブラシ部を一体成形されたもの、固定手段と歯ブラシ部を接着させたものなどを挙げることができる。
【００１２】
前記固定手段は、例えば、図１に示すように指輪状の形状を有したり、また、図２に示すように歯ブラシ部を指に固定する留め具を有したりすることができる。このような形状や構造にすることにより、自在に歯ブラシを操作可能であり、さらに、指歯ブラシの脱着が容易になり、また、口内での脱離を防止することができる。
【００１３】
前記固定手段が、図１に示すような指輪状の形状の場合には、前記固定手段は、該指輪状の形状の固定手段により、指に歯ブラシ部が固定され、指歯ブラシの脱着が容易であり、また、口内での脱離を防止することができるものであれば、特に限定されない。
このような目的を達するものであれば、例えば、指輪の幅、指輪の材質、および指輪の数は特に限定されない。したがって、例えば、指輪の形状は指輪の一部分に指の挿入方向に沿って切れ目が入り不連続なものでもよく、歯ブラシ部の近くに剛性の材質を用いて指輪の上部を柔軟な材質で形成することもでき、指輪の輪の数を２以上とすることもできる。また、例えば、プラスティック、ゴム、シリコン、金属など様々な材質の成形材料を用いることができる。
【００１４】
前記固定手段が、図２に示すような歯ブラシ部を指に固定する留め具を有する場合には、前記固定手段は、該歯ブラシ部を指に固定する留め具により、指に歯ブラシ部が固定され、指歯ブラシの脱着が容易であり、また、口内での脱離を防止することができるものであれば、特に限定されない。
このような目的を達するものであれば、例えば、前記留め具は、図２に示すようなゴム製の留め具でもよく、さらに、例えば、プラスティック、シリコン、金属など様々な材質の成形材料を用いることができる。また、様々な形式の留め具を用いることもできる。
【００１５】
本発明の指歯ブラシの前記固定手段は、少なくとも一つまたは複数の指を挿入する部分を有する指入れ部を有することが好ましく、さらに前記歯ブラシ部を前記指入れ部に固定する固定部を有することもできる。
前記指入れ部は、両端が開口した円筒状の形状を有したり、また、一端が開口した円筒状の形状を有することもできる。
前記固定手段がこのような指入れ部を有することにより、本発明の指歯ブラシにおいては、自在に歯ブラシを操作可能であり、さらに、指歯ブラシの脱着が容易になり、また、口内での脱離を防止することができる。特に、前記指入れ部は、一端が開口した円筒状の形状を有することにより、指が歯や口腔内に直接接触することなく操作することが可能であるため、衛生上より安全であり、好ましい。
【００１６】
本発明の指歯ブラシは、図３に示すように、指の動きによって、自在に歯ブラシを操作可能な指歯ブラシであって、図３に示すように、少なくとも一つまたは複数の指を挿入する部分を有する指入れ部３と、該指入れ部の先端部分に固定された歯ブラシ部２とを有する形状をとることができる。この指入れ部３は、一端が開口した円筒状に成形されており、成形材料として柔軟材、好ましくは防水性の柔軟材を用いることにより、指が入れ易く、歯や口内の感触が指に伝わり易く、図４の矢印のように指を自在に動かすことが可能である。このため、本発明の指歯ブラシは、食後の口の掃除、子供の歯の掃除、および歯科治療などに好適に使用することができる。
【００１７】
前記該指入れ部３は、指の動きによって、自在に歯ブラシを操作可能とするため、前述のように、柔軟材、好ましくは防水性の柔軟材が用いられる。このような防水柔軟材としては、防水性があり、柔軟性をもち、口内に入れても安全性上問題のないものであれば、特に限定されない。このような防水柔軟材としては、例えば、ビニール、ポリエチレン、ポリプロピレン、シリコンゴム、コーティング布などを挙げることができ、ビニール、シリコンゴム、コーティング布が好ましい。
【００１８】
前記該指入れ部３は、前述のように、少なくとも一つまたは複数の指を挿入する部分を有することを特徴とする。たとえば、図５に示すように一つの指を挿入する部分を有するものでもよく、例えば、図６および７に示すように２つの指を挿入する部分を有するものなど、複数の指を挿入する部分を有するものでもよい。
図６および７の指歯ブラシのように、例えば、人差し指と中指を挿入する部分を有するものにおいては、該指歯ブラシの装着時に、歯ブラシ部２のない指入れ部３に入れた中指を曲げて使用することにより、該指歯ブラシが指から脱離することを防止することができる。このため、子供やペットなどの動物に使用する場合、飲み込みを防止することができ、安全性上好ましい。
【００１９】
前記指歯ブラシの形態としては、指入れ部３と、該指入れ部の先端部分に固定された歯ブラシ部２とを有することを特徴とするものを挙げることができる。このような指歯ブラシとしては、例えば、指入れ部３と歯ブラシ部２を一体成形されたもの、指入れ部３と歯ブラシ部２を接着させたものなどを挙げることができる。
【００２０】
また、前記指歯ブラシの形態としては、指入れ部３と歯ブラシ部２に加えて、さらに前記歯ブラシ部２を前記指入れ部３に固定する固定部４を有するものを挙げることもできる。さらに前記固定部４を加えることにより、指の挿入が容易な柔軟な材質の指入れ部３を用いても、しっかりとした固定が可能となる。前記固定部４としては、例えば、歯ブラシ部２に取りつけた脱着式の帯状体、ひも状体など様々な形態のものを挙げることができる。歯ブラシ部に取りつけた脱着式の帯状体を固定部４として用いれば、指を入れた状態の指入れ部３に容易に歯ブラシ部２を固定でき、好ましい。この帯状体としては、面ファスナーであることが好ましい。
【００２１】
前記脱着式の帯状体を用いた固定手段の形態としては、様々な形態を挙げることができる。例えば、図８に示すように、固定部である帯状体４の一端が、歯ブラシ部２の一端に固定されているものを挙げることができる。この場合には、例えば、後述する実施例のように、該帯状体４の他端が該歯ブラシ部２の他端に形成したスリット（実施例では図１３の面ファスナー通し７）を通って巻き戻し、巻き戻した先端を該帯状体４の要部に係着することにより、指を入れた状態の指入れ部３に歯ブラシ部２を固定する。
【００２２】
前記脱着式の帯状体を用いた固定部４の別の形態としては、図９に示すように、固定部である帯状体４の中央部が、歯ブラシ部２に固定されているものを挙げることができる。この場合には、例えば、歯ブラシ部２を指を入れた状態の指入れ部３の下部に位置させ、帯状体４の両端を逆方向に指入れ部３の上部に回し、両端同士を係着することにより、指を入れた状態の指入れ部３に歯ブラシ部２を固定する。
【００２３】
本発明の指歯ブラシは、例えば、携帯用、使い捨て用などとして提供することもできる。この場合には、例えば、図１０に示すように、ティーバックのような紙ケースなどに、少なくとも前記指歯ブラシと紙コップなどを収納し、指歯ブラシセットとすることができる。このような指歯ブラシセットは、特に、食後の歯の手入れに、指に代わって使用することができる利便性を有する。
【実施例】
【００２４】
以下、実施例に基づき、本発明についてさらに詳細に説明する。なお、本発明は下記実施例に限定されるものではない。
＜実施例＞指歯ブラシの１例
図１１〜１３に指歯ブラシの１例を示した。この指歯ブラシは、図１１〜１３のように、指を挿入する指入れ部３、歯ブラシ部２、および固定部４を有する。図１１に指の挿入方向の側面から見た図、図１２に指入れ部１の先端部から見た図、図１３に歯ブラシ部２のブラシが植毛された下面から見た図を示した。
【００２５】
図１１のように、人差し指または中指などを指入れ部３に入れる。次に、図１２のように、歯ブラシ部２に取りつけられた固定部である面ファスナー４で、指の挿入された状態の指入れ部３を、歯ブラシ部２の反対側から巻く。さらに、面ファスナー４との取りつけ部と反対側の図１３に示す面ファスナー通し７に該面ファスナー４を通し、該面ファスナー４を該取りつけ部方向へ巻き戻して、面ファスナー４の鉤状の可撓性部分５をループ状の可撓性部分６に鉤止めして、指入れ部３を歯ブラシ部２に固定する。
【産業上の利用可能性】
【００２６】
以上のように、本発明にかかる指歯ブラシは、食後の口の掃除、子供の歯の掃除、および歯科治療などに有用であり、該指歯ブラシを含む携帯用、使い捨て用などとして用いる指歯ブラシセットとしても使用することができる。
【図面の簡単な説明】
【００２７】
【図１】本発明の指歯ブラシの１例に指を挿入する様子を示す図である。
【図２】本発明の指歯ブラシの１例を示す図である。
【図３】本発明の指歯ブラシの１例に指を挿入する様子を示す図である。
【図４】本発明の指歯ブラシの１例を指で自在に操作する様子を示す図である。
【図５】一つの指を挿入する部分を有する指入れ部をもつ本発明の指歯ブラシの１例を示す図である。
【図６】複数の指（図示は二指）を挿入する部分を有する指入れ部をもつ本発明の指歯ブラシの１例を、歯ブラシ部のブラシが植毛された下面から見た図である。
【図７】複数の指（図示は二指）を挿入する部分を有する指入れ部をもつ本発明の指歯ブラシの１例を、側面から見た図である。
【図８】帯状体の一端が、歯ブラシ部の一端に固定されている形態の本発明の指歯ブラシの１例を示す図である。
【図９】帯状体の中央部が、歯ブラシ部に固定されている形態の本発明の指歯ブラシの１例を示す図である。
【図１０】本発明の指歯ブラシセットの１例を示す図である。
【図１１】本発明の指歯ブラシの１例を、指の挿入方向の側面から見た図である。
【図１２】本発明の指歯ブラシの１例を、指入れ部の先端部から見た図である。
【図１３】本発明の指歯ブラシの１例を、歯ブラシ部のブラシが植毛された下面から見た図である。
【符号の説明】
【００２８】
１  固定手段
２  歯ブラシ部
３  指入れ部
４  固定部（帯状体および面ファスナーも表す）
５  面ファスナーの鉤状の可撓性部分
６  面ファスナーのループ状の可撓性部分
７  歯ブラシ部の面ファスナー通し
【図１】
2005253872.tif 000003
【図２】
2005253872.tif 000004
【図３】
2005253872.tif 000005
【図４】
2005253872.tif 000006
【図５】
2005253872.tif 000007
【図６】
2005253872.tif 000008
【図７】
2005253872.tif 000009
【図８】
2005253872.tif 000010
【図９】
2005253872.tif 000011
【図１０】
2005253872.tif 000012
【図１１】
2005253872.tif 000013
【図１２】
2005253872.tif 000014
【図１３】
2005253872.tif 000015